(57)【要約】【課題】蓄電池の長寿命化を図ることができる蓄電池システムを提供する。【解決手段】蓄電池システム（１）は、蓄電池（４）が放電することで、負荷機器（１００）に交流電圧・交流電流によって構成される電力を供給する。蓄電池システム（１）は、収納スペース（７１０）に収納された蓄電池（４）を電源（２）から供給される電源電力で充電する充電回路（３）と、蓄電池（４）を放電させる放電回路（５）と、蓄電池（４）を冷却する冷却装置（６）とを備える。【選択図】図１
2018107043.tif 000002
【特許請求の範囲】
【請求項１】
収納スペースに収納された蓄電池を電源から供給される電源電力で充電する充電回路と、
前記蓄電池を放電させる放電回路と、
前記蓄電池を冷却する冷却装置と、
を備える、
蓄電池システム。
【請求項２】
前記冷却装置の動作を制御する制御部をさらに備える、
請求項１の蓄電池システム。
【請求項３】
前記制御部は、前記冷却装置を前記電源電力を利用して動作させるように構成される、
請求項２の蓄電池システム。
【請求項４】
前記制御部は、前記電源の前記電源電力が前記蓄電池の充電に必要な充電電力よりも大きい場合、前記電源電力から前記充電電力を引いた余剰電力で前記冷却装置を動作させるように構成される、
請求項３の蓄電池システム。
【請求項５】
前記制御部は、前記蓄電池の温度が予め設定された上限温度よりも高い場合、前記冷却装置の動作を開始させるように構成される、
請求項２〜４の何れか一項の蓄電池システム。
【請求項６】
前記蓄電池の前記温度を測定する温度測定部をさらに備え、
前記制御部は、前記蓄電池の前記温度が前記上限温度よりも高いか否かを判断し、前記蓄電池の前記温度が前記上限温度よりも高い場合、前記冷却装置の動作を開始させるように構成される、
請求項５の蓄電池システム。
【請求項７】
前記制御部は、前記蓄電池の前記温度が下限温度よりも低い場合、前記冷却装置の動作を停止させるように構成される、
請求項５の蓄電池システム。
【請求項８】
前記蓄電池の前記温度を測定する温度測定部をさらに備え、
前記制御部は、前記蓄電池の前記温度が前記下限温度よりも低いか否かを判断し、前記蓄電池の前記温度が前記下限温度よりも低い場合、前記冷却装置の動作を停止させるように構成される、
請求項７の蓄電池システム。
【請求項９】
前記電源をさらに備え、
前記電源は、発電装置である、
請求項１〜８の何れか一項の蓄電池システム。
【請求項１０】
前記発電装置は、太陽光発電装置である、
請求項９の蓄電池システム。
【請求項１１】
前記冷却装置は、収納スペースを冷却することで、前記蓄電池を冷却するように構成される、
請求項１〜１０の何れか一項の蓄電池システム。
【請求項１２】
前記収納スペースを内部に有する収納庫をさらに備え、
前記収納庫は、一面が上向きなるように配置され、
前記冷却装置は、前記収納スペースよりも上に配置される、
請求項１１の蓄電池システム。
【請求項１３】
前記蓄電池をさらに備える、
請求項１〜１２の何れか一項の蓄電池システム。
【発明の詳細な説明】
【技術分野】
【０００１】
本発明は、蓄電池システムに関し、より詳細には、蓄電池を充電する蓄電池システムに関する。
【背景技術】
【０００２】
従来、電源から供給された電力を受けて、負荷回路に電力を供給する電源装置が提供されている（例えば、特許文献１）。特許文献１の電源装置は、蓄電池を備える。電源装置は、電源から供給された電力で蓄電池を充電する。特許文献１の電源装置は、必要に応じて、蓄電池から負荷回路（負荷機器）に電力を供給する。
【先行技術文献】
【特許文献】
【０００３】
【特許文献１】特開２０１６−５９２２９号公報
【発明の概要】
【発明が解決しようとする課題】
【０００４】
ところで、蓄電池の温度が上昇すると、蓄電池の劣化が進行し、蓄電池の寿命が短くなってしまうことがある。
【０００５】
本発明は、上記事由に鑑みてなされており、蓄電池の長寿命化を図る蓄電池システムを提供することを目的とする。
【課題を解決するための手段】
【０００６】
本発明の一態様の蓄電池システムは、収納スペースに収納された蓄電池を電源から供給される電源電力で充電する充電回路と、前記蓄電池を放電させる放電回路と、前記蓄電池を冷却する冷却装置とを備える。
【発明の効果】
【０００７】
本発明の態様の蓄電池システムは、蓄電池の長寿命化を図ることができるという効果がある。
【図面の簡単な説明】
【０００８】
【図１】図１は本発明の実施形態１に係る蓄電池システムのシステム構成図である。
【図２】図２は上記蓄電池システムの要部の斜視図である。
【図３】図３は上記蓄電池システムのフローチャートである。
【図４】図４は本発明の実施形態２に係る蓄電池システムのシステム構成図である。
【図５】図５は上記蓄電池システムの第１制御モードのフローチャートである。
【図６】図６は上記蓄電池システムの第２制御モードのフローチャートである。
【発明を実施するための形態】
【０００９】
１．実施形態１
１．１  構成
図１は、本実施形態の蓄電池システム１のシステムの構成図である。本実施形態の蓄電池システム１は、図１に示すように、蓄電池４を充電する蓄電池システムである。また、蓄電池システム１は、電源２及び蓄電池４からの電力に基づいて負荷機器１００に電力（供給電力）を供給するように構成されている。なお、負荷機器１００は、電力系統（例えば、商用の電力系統）とも電気的に接続されている。電力系統が正常に動作している場合において、負荷機器１００には、電力系統からの電力が供給される。
【００１０】
蓄電池システム１は、図１に示すように、電源２と、充電回路３と、蓄電池４と、放電回路５と、冷却装置６と、収納庫７と、温度測定部８と、制御部９とを備える。
【００１１】
電源２は、複数の太陽電池モジュールを備える太陽光発電装置である。なお、電源２は、風力によって発電する風力発電装置、地熱によって発電する地熱発電装置などの発電装置であればよい。
【００１２】
充電回路３は、蓄電池４を充電するように構成される。充電回路３は、電源電力から蓄電池４を充電するのに必要な直流の充電電力を生成する。充電回路３は、充電電力で蓄電池４を充電する。蓄電池システム１において余剰電力がある場合、充電回路３は、負荷機器１００及び冷却装置６の少なくとも一方に余剰電力を供給することができる。
【００１３】
充電回路３は、例えば、定電流制御、定電圧制御、又は、定電流制御及び定電圧制御の組み合わせによる制御方式によって、蓄電池４を充電する。定電流制御及び定電圧制御の組み合わせによる制御方式には、定電圧定電流充電制御方式がある。
【００１４】
ここで、定電圧定電流充電制御方式について説明する。以下の説明では、蓄電池４に蓄えられている電力の量（つまり蓄電池４が供給可能な電力の量）を残容量という。
【００１５】
蓄電池４の残容量が比較的少ない場合、充電回路３は、定電流制御によって蓄電池４の充電を行う。充電回路３が定電流制御によって蓄電池４を充電する場合、蓄電池４の残容量は、定電圧制御の場合よりも急速に増加する。充電回路３は、蓄電池４に定電圧制御の場合よりも多くの充電電流が一定の値で流れるように制御する。充電回路３は、蓄電池４の残容量が満充電の値に近づくまで、定電流制御によって蓄電池４を充電する。
【００１６】
蓄電池４の残容量が満充電の値に近づくと、充電回路３は、定電流制御から定電圧制御に切り替える。充電回路３は、定電圧制御によって、蓄電池４の残容量が定電流制御の場合より緩やかに増加するように蓄電池４を充電する。充電回路３は、一定の値の充電電圧を蓄電池４に供給する。このように、充電回路３は、充電電圧を一定の値に維持し、蓄電池４の残容量を徐々に増加させる。この結果、蓄電池４の過充電が抑制される。
【００１７】
ところで、蓄電池４が満充電の状態になった後、充電回路３は、トリクル充電に切り替える。蓄電池４の残容量は、自然放電により減少する。例えば、蓄電池４が満充電の状態になり、放置されると、自然放電により満充電の状態を維持することができない。そこで、充電回路３は、蓄電池４を満充電の状態に維持するために、蓄電池４のトリクル充電を行う。トリクル充電では、充電回路３が蓄電池４の公称電圧よりも高い一定の電圧を蓄電池４に印加する。一定の電圧が蓄電池４に印加されているので、自然放電によって蓄電池４の残容量が減少した場合、蓄電池４には、微弱な充電電流が流れる。蓄電池４に当該充電電流が流れることで、蓄電池４は、充電される。そして、蓄電池４が満充電の状態になると、蓄電池４に充電電流が流れなくなる。このように、自然放電により、蓄電池４が満充電の状態が維持できなくなった場合、充電回路３は、蓄電池４を満充電の状態になるまで充電する。
【００１８】
また、充電回路３は、必要に応じて、蓄電池４から放電回路５へ電力を供給するように構成される。例えば、電力系統及び電源２から電力が得られず、負荷機器１００を動作させることができない場合には、充電回路３は蓄電池４から放電回路５へ電力を供給する。これにより、蓄電池４により負荷機器１００を動作させることが可能になる。例えば、充電回路３は、充電電力の電圧を蓄電池４の電圧より低くすることで、蓄電池４から放電回路５に電力が供給されるようにする。
【００１９】
放電回路（給電回路）５は、充電回路３及び蓄電池４と電気的に接続される。さらに、放電回路５は、負荷機器１００及び制御部９と電気的に接続される。制御部９は、放電回路５から受け取った電力により冷却装置６を動作させる。したがって、放電回路５は、充電回路３及び蓄電池４の少なくとも一方から電力を受け取り、受け取った電力に基づいて負荷機器１００及び制御部９の少なくとも一方に供給電力を供給する。放電回路５は、例えば、インバータ回路を備える。インバータ回路は、蓄電池４から出力される直流電力を、交流の供給電力に変換する。また、放電回路５は、充電回路３から出力される直流電力を、供給電力に変換する。放電回路５は、インバータ回路により得られた供給電力を負荷機器１００及び制御部９の少なくとも一方に供給する。
【００２０】
なお、供給電力の周波数は、商用の電力系統と同じ周波数（例えば、５０Ｈｚ及び６０Ｈｚ）である。放電回路５には、複数の負荷機器１００が電気的に接続されていてもよい。また、放電回路５は、充電回路３又は蓄電池４からの直流電力を交流の供給電力に変換する構成に限定されない。例えば、放電回路５は、降圧チョッパ又は昇圧チョッパなどを有し、充電回路３又は蓄電池４からの直流電力を所望の直流の供給電力に変換する構成であってもよい。要するに、放電回路５は、適宜、負荷機器１００及び冷却装置６が動作するのに必要な電力を供給するように構成されていればよい。
【００２１】
蓄電池４は、複数の蓄電池ユニット４１（図２では４つ）で構成される。複数の蓄電池ユニット４１は、例えば、直方体の密閉型鉛蓄電池である。複数の蓄電池ユニット４１は、例えば、互いに電気的に直列に接続されている。なお、複数の蓄電池ユニット４１のそれぞれは、ニッケル水素電池、又はリチウムイオン電池でもよい。また、複数の蓄電池ユニット４１は、互いに電気的に並列又は直並列に接続されていてもよい。
【００２２】
冷却装置６は、例えば、コンプレッサ式の冷却装置である。冷却装置６は、外部から空気を取り込む。そして、冷却装置６は、外部から取り込んだ空気を冷却する。冷却装置６は、冷却した空気を外部に排出する。冷却装置６は、放電回路５から制御部９を介して動作に必要な電力が供給される。
【００２３】
収納庫７は、図２に示すように、本体７１と、扉７２とを有する。なお、以下の説明で特に断りがない限り、収納庫７の上下、左右、及び前後方向は、図２に示す、上下、左右、及び前後方向に一致する。
【００２４】
本体７１は、矩形の箱状に形成される。本体７１の内部には、蓄電池４が収納される収納スペース７１０が設けられる。収納スペース７１０には、複数の蓄電池ユニット４１が左右方向に並べられて配置される。
【００２５】
収納スペース７１０の上側に位置する上壁７１１の上面には、冷却装置６が配置される。本体７１の上壁７１１には、冷却装置６からの冷気が流れ込む吸気孔７１２と、収納庫７の内部から空気が冷却装置６に流れ出る排気孔７１３とが形成される。このように、冷却装置６は、収納庫７の内部の空気を循環して冷却する。また、本体７１の上壁７１１には、蓄電池４の電気分解によって発生する水素を排出する通気孔７１４が形成される。
【００２６】
冷却装置６の動作が開始されると、収納庫７の内部の空気は、排気孔７１３を通って冷却装置６に入り込む。そして、冷却装置６によって冷却された空気が吸気孔７１２を通って収納庫７の内部に入る。この結果、収納庫７の内部の温度は、低くなる。言い換えると、収納庫７から流れ出た暖かい空気を冷却装置６が冷却し、冷却装置６によって冷却された空気が収納庫７に流れ込むことで、収納スペース７１０の温度が低くなる。収納スペース７１０の温度が低くなるこことで、蓄電池４の温度は低くなる。このように、収納スペース７１０が設けられる収納庫７の内部が冷却されることで、蓄電池４は、冷却される。
【００２７】
また、収納庫７の外壁（側壁及び上壁）の内部、及び扉７２の内部には、断熱材が収納されていてもよい。このように、収納庫７が断熱構造を有することで、収納庫７では、内部の温度が外気によって影響され難くなる。
【００２８】
温度測定部８は、収納庫７の収納スペース７１０の温度（以下、空間温度と呼ぶ）を測定するように構成される。ここで、蓄電池４が発熱すると、収納スペース７１０の空間温度が上昇する。つまり、温度測定部８は、収納庫７の収納スペース７１０の空間温度を、蓄電池４の温度として測定する。
【００２９】
制御部９は、冷却装置６を制御するように構成される。制御部９は、ＣＰＵ（Central Processing Unit）及びメモリを有するマイクロコントローラによって構成されている。制御部９は、メモリに格納されているプログラムをＣＰＵによって実行されることで機能する。なお、ＣＰＵが実行するプログラムは、メモリカード等の記録媒体に記憶されて提供されてもよい。また、制御部９において、ＣＰＵとメモリとは別々の電子部品であって、互いに電気的に接続するように構成されていてもよい。
【００３０】
制御部９は、予め上限温度及び下限温度を記憶している。制御部９は、温度測定部８が測定した温度（収納スペース７１０の空間温度）と上限温度とを比較する。収納スペース７１０の空間温度が上限温度よりも高い場合、制御部９は、冷却装置６の動作を開始させる。また、制御部９は、空間温度と下限温度とを比較する。制御部９は、収納スペース７１０の空間温度が下限温度よりも低くなると、冷却装置６の動作を終了する。なお、蓄電池４は、１０℃から２５℃の間の温度に維持されることが好ましい。さらに、蓄電池４は、１５℃から２０℃の間の温度に維持されることがより好ましい。つまり、上限温度は、２０℃から２５℃で設定されることが好ましい。また、下限温度は、１０℃から１５℃の間で設定されることが好ましい。
【００３１】
例えば、蓄電池システム１の充電回路３、放電回路５、蓄電池４、冷却装置６、収納庫７と、温度測定部８、及び制御部９は、コンテナに収納される。コンテナは、金属の箱状に形成される。コンテナには、ドアが取り付けられることで、作業者が蓄電池４などを容易に出し入れすることができる。コンテナの屋根（上面）には、電源２が配置される。より詳細には、コンテナの屋根には、複数の太陽電池モジュールが並べて配置されている。コンテナの屋根は、複数の太陽電池モジュールを支持する。太陽電池モジュールは、発電効率を向上させるために、受光面が水平方向に対して傾斜するように配置される。
【００３２】
コンテナは、換気用の吸気孔と、排気孔とを備える。吸気孔は、コンテナの側壁の下端側に設けられる。吸気孔は、矩形の開口である。吸気孔は雨などが入らないように、雨除けフードに覆われていてもよい。排気孔は、コンテナの側壁の上端側に設けられる。つまり、排気孔は、吸気孔よりも上下方向に高い位置に配置される。排気孔には、排気用の換気扇が取り付けられてもよい。このように、排気孔は、コンテナの内部の空気を外部に排出する。コンテナは、必要に応じて内部に外気を取り入れることで、コンテナの内部の温度の上昇を抑制する。
【００３３】
１．２  制御方法
実施形態１の蓄電池システム１では、蓄電池４が満充電になった場合に、余剰電力で冷却装置６を動作するように構成される。蓄電池システム１の制御方法を、図３のフローチャートを参照して、より詳細に説明する。なお、図３のフローチャートの開始では、制御部９が冷却装置６の動作を停止させている。
【００３４】
充電回路３は、余剰電力があるか否かを判断する（ステップＳ１０１）。充電回路３は、蓄電池４が満充電の状態であり、電源２の電源電力が冷却装置６を動作させるのに必要な電力以上であれば、余剰電力があると判断する。余剰電力があると判断されれば（ステップＳ１０１：Ｙｅｓ）、制御部９は、温度測定部８によって測定された収納スペース７１０の空間温度が上限温度よりも高いか否かを判断する（ステップＳ１０２）。空間温度が上限温度よりも高いと判断された場合（ステップＳ１０２：Ｙｅｓ）、制御部９は、冷却装置６の動作を開始させる（ステップＳ１０３）。これにより冷却装置６は、電源２の余剰電力を利用して動作する。冷却装置６の動作の開始後、充電回路３は余剰電力があるか否かをさらに判断する（ステップＳ１０４）。余剰電力があると判断されれば（ステップＳ１０４：Ｙｅｓ）、制御部９は、空間温度が下限温度よりも低いか否かを判断する（ステップＳ１０５）。空間温度が下限温度よりも低いと判断された場合（ステップＳ１０５：Ｙｅｓ）、制御部９は、冷却装置６の動作を終了する（ステップＳ１０６）。この後、蓄電池システム１は、処理をステップＳ１０１に移行する。
【００３５】
なお、制御部９が冷却装置６の動作を停止させている状態において、余剰電力がないと判断された場合（ステップＳ１０１：Ｎｏ）、蓄電池システム１は、処理をステップＳ１０１に移行する。同様に、空間温度が上限温度以下と判断された場合（ステップＳ１０２：Ｎｏ）、蓄電池システム１は、処理をステップＳ１０１に移行する。
【００３６】
制御部９が冷却装置６を動作させている状態において、余剰電力がないと判断された場合（ステップＳ１０４：Ｎｏ）、制御部９は、冷却装置６の動作を終了する（ステップＳ１０６）。また、制御部９が冷却装置６を動作させている状態において、空間温度が下限温度以上であると判断された場合（ステップＳ１０５：Ｎｏ）、蓄電池システム１は、処理をステップＳ１０４に移行する。つまり、蓄電池システム１は、冷却装置６の動作が一度開始されると、余剰電力がないと判断されるか空間温度が下限温度よりも低いと判断されるまで、冷却装置６で収納スペース７１０を冷却する。
【００３７】
１．３  まとめ
本実施形態の蓄電池システム１は、冷却装置６で収納スペース７１０を冷却する。この結果、蓄電池４が冷却されて、蓄電池４の温度上昇は、抑制される。言い換えると、蓄電池４の温度上昇による劣化が抑制される。したがって、本実施形態の蓄電池システム１では、蓄電池４の長寿命化を図ることができる。
【００３８】
また、蓄電池システム１では、制御部９が、電源２から電源電力の余剰分（余剰電力）を利用して冷却装置６を動作させるので、冷却装置６を動作させるために電源２と別の電源を用意する必要がない。さらに、制御部９は、蓄電池４の温度が上限温度より高い場合に、冷却装置６の動作を開始させる。また、制御部９は、蓄電池４の温度が下限温度よりも低い場合に、冷却装置６の動作を終了する。このように、制御部９は必要に応じて冷却装置６を動作させるから、電力の無駄を軽減することができる。
【００３９】
２．実施形態２
２．１  構成
本実施形態の蓄電池システム１Ａについて、図４を参照して説明する。なお、実施形態１と重複する構成については、同じ符号を付し、詳しい説明は省略する。
【００４０】
本実施形態の蓄電池システム１Ａは、図４に示すように、電源２と、充電回路３Ａと、蓄電池４と、放電回路５と、冷却装置６と、収納庫７と、温度測定部８と、制御部９とを備える。また、蓄電池システム１Ａは、電力変換回路３１をさらに備える。電力変換回路３１は、充電回路３Ａ及び冷却装置６と電気的に接続されている。充電回路３Ａは、電力変換回路３１、蓄電池４、及び放電回路５と個別に電気的に接続されている。つまり、充電回路３Ａは、入力された電源電力を分配して、電力変換回路３１、蓄電池４、及び放電回路５のそれぞれに電力を供給する。また、充電回路３Ａは、必要に応じて、蓄電池４から放電回路５へ電力を供給するように構成される。例えば、電力系統及び電源２から電力が得られず、負荷機器１００を動作させることができない場合には、充電回路３Ａは、蓄電池４から放電回路５へ電力を供給する。これにより、負荷機器１００を動作させることが可能になる。
【００４１】
電力変換回路３１は、放電回路５のインバータ回路と同様の回路である。電力変換回路３１は、充電回路３Ａから出力される直流電力を、冷却装置６を動作させるための交流の駆動電力に変換する。電力変換回路３１は、変換した駆動電力を冷却装置６に供給する。なお、電力変換回路３１は、直流電力を交流の駆動電力に変換する構成に限定されず、冷却装置６が動作するのに必要な駆動電力を供給する構成であればよい。
【００４２】
本実施形態の蓄電池システム１Ａでは、充電回路３Ａが電力変換回路３１、蓄電池４、及び放電回路５のそれぞれに供給される電力を制御できる。そのため、蓄電池４、冷却装置６、及び負荷機器１００のいずれかに優先的に電力を振り分けるかを設定できる。例えば、充電回路３Ａは、蓄電池４を充電している間でも、電源電力から充電電力を引いた残りの電力（余剰電力）を利用して冷却装置６を動作させることができる。また、例えば、充電回路３Ａは、放電回路５から負荷機器１００に供給電力を供給している間でも、電源電力から供給電力を引いた残りの電力（余剰電力）を利用して冷却装置６を動作させることができる。また、例えば、充電回路３Ａは、蓄電池４を充電し、かつ放電回路５から負荷機器１００に供給電力を供給している間でも、電源電力から充電電力及び供給電力を引いた残りの電力（余剰電力）を利用して冷却装置６を動作させることができる。つまり、充電回路３Ａは、電源電力の余剰電力（例えば、電源電力から充電電力を引いた残りの電力）の一部又は全部を利用して冷却装置６を動作させることができる。
【００４３】
２．２  制御モード
充電回路３Ａは、２つの制御モード（第１制御モード、及び第２制御モード）を有する。以下の２つの制御モードについて図５及び図６のフローチャートを参照して説明する。
【００４４】
２．２．１  第１制御モード
第１制御モードでは、充電回路３Ａは、冷却装置６及び負荷機器１００よりも蓄電池４に優先的に電源２から電力を供給するように構成される。つまり、第１制御モードでは、充電回路３Ａは、優先して蓄電池４を充電するように構成される。言い換えると、充電回路３Ａは、蓄電池４が満充電の状態でない限り、蓄電池４を充電する。充電回路３Ａが負荷機器１００に供給電力を供給する場合、充電回路３Ａは、電源電力から充電電力を引いた残りの電力を負荷機器１００に供給するように構成される。また、充電回路３Ａは、電源電力から充電電力及び供給電力の合計を引いた余剰電力で冷却装置６を動作させるように構成される。言い換えると、充電回路３Ａは、電源電力から充電電力及び供給電力の合計を引いた残りの電力が駆動電力よりも大きい場合、電力変換回路３１に電力を供給する。
【００４５】
第１制御モードについて、図５のフローチャートを参照して、より詳細に説明する。なお、以下に説明するステップＳ２０６〜ステップＳ２０９は、図３のフローチャートにおけるステップＳ１０２〜ステップＳ１０５に対応している。
【００４６】
充電回路３Ａは、電源２の電源電力が充電電力よりも大きいか否かを判断する（ステップＳ２０１）。電源電力が充電電力よりも大きいと判断された場合（ステップＳ２０１：Ｙｅｓ）、充電回路３Ａは、蓄電池４を充電する（ステップＳ２０２）。次に、充電回路３Ａは、電源２の電源電力から充電電力を引いた残りの電力が供給電力よりも大きいか否かを判断する（ステップＳ２０３）。電源電力から充電電力を引いた残りの電力が供給電力よりも大きいと判断された場合（ステップＳ２０３：Ｙｅｓ）、充電回路３Ａは、放電回路５を介して負荷機器１００に供給電力を供給する（ステップＳ２０４）。次に、充電回路３Ａは、電源２の電源電力から充電電力及び供給電力の合計を引いた残りの電力が駆動電力よりも大きいか否かを判断する（ステップＳ２０５）。電源電力から充電電力及び供給電力の合計を引いた残りの電力が駆動電力よりも大きいと判断された場合（ステップＳ２０５）、制御部９は、温度測定部８によって測定された収納スペース７１０の空間温度が上限温度よりも高いか否かを判断する（ステップＳ２０６）。空間温度が上限温度よりも高いと判断された場合（ステップＳ２０６：Ｙｅｓ）、制御部９は、冷却装置６の動作を開始させる（ステップＳ２０７）。これにより冷却装置６は、電源２の余剰電力を利用して動作する。冷却装置６の動作の開始後、充電回路３Ａは、電源電力から充電電力及び供給電力の合計を引いた残りの電力が駆動電力よりも大きいか否かをさらに判断する（ステップＳ２０８）。電源電力から充電電力及び供給電力の合計を引いた残りの電力が駆動電力よりも大きいと判断されれば（ステップＳ２０８：Ｙｅｓ）、制御部９は、空間温度が下限温度よりも低いか否かを判断する（ステップＳ２０９）。空間温度が下限温度よりも低いと判断された場合（ステップＳ２０９：Ｙｅｓ）、制御部９は、冷却装置６の動作を終了する（ステップＳ２１０）。この後、蓄電池システム１Ａは、処理をステップＳ２０１に移行する。
【００４７】
なお、制御部９が冷却装置６の動作を停止させている状態において、電源電力が充電電力以下であると判断された場合（ステップＳ２０１：Ｎｏ）、蓄電池システム１Ａは、処理をステップＳ２０１に移行する。同様に、制御部９が電源電力から充電電力を引いた残りの電力が供給電力以下であると判断された場合（ステップＳ２０３：Ｎｏ）、蓄電池システム１Ａは、処理をステップＳ２０１に移行する。また、電源電力から充電電力及び供給電力の合計を引いた残りの電力が駆動電力以下であると判断された場合（ステップＳ２０５：Ｎｏ）、蓄電池システム１Ａは、処理をステップＳ２０１に移行する。さらに、空間温度が上限温度以下であると判断された場合（ステップＳ２０６：Ｎｏ）、蓄電池システム１Ａは、処理をステップＳ２０１に移行する。
【００４８】
制御部９が冷却装置６を動作させている状態において、電源電力から充電電力及び供給電力の合計を引いた残りの電力が駆動電力以下と判断された場合（ステップＳ２０８：Ｎｏ）、制御部９は、冷却装置６の動作を終了する（ステップＳ２１０）。
【００４９】
また、制御部９が冷却装置６を動作させている状態において、空間温度が下限温度以上であると判断された場合（ステップＳ２０９：Ｎｏ）、蓄電池システム１Ａは、処理をステップＳ２０８に移行する。つまり、蓄電池システム１Ａは、冷却装置６の動作が一度開始されると、余剰電力がないと判断されるか空間温度が下限温度よりも低いと判断されるまで、冷却装置６で収納スペース７１０を冷却する。
【００５０】
このように、第１制御モードでは、蓄電池４及び負荷機器１００に電源２から電力を供給している際に、電源２に余剰電力があれば、冷却装置６で収納スペース７１０を冷却する。この結果、蓄電池システム１Ａは、冷却装置６で蓄電池４を冷却することができる。
【００５１】
２．２．２  第２制御モード
第２制御モードでは、充電回路３Ａは、蓄電池４及び冷却装置６よりも負荷機器１００に優先的に電源２から電力を供給するように構成される。つまり、第２制御モードでは、充電回路３Ａは優先して負荷機器１００に供給電力を供給する。充電回路３Ａは、電源電力から供給電力を引いた残りの電力のうち、一部又は全部で蓄電池４を充電する。つまり、充電回路３Ａは、電源電力から供給電力を引いた残りの電力が充電電力よりも大きいと判断された場合、充電電力で蓄電池４を充電する。また、収納スペース７１０の空間温度が上限温度よりも高いと判断され、かつ電源電力から供給電及び充電電力の合計を引いた残りの電力（余剰電力）があると判断されれば、制御部９は、供給される駆動電力で冷却装置６を動作させる。なお、駆動電力とは、冷却装置６が動作するのに必要な電力である。
【００５２】
第２制御モードについて、図６のフローチャートを参照して、より詳細に説明する。なお、以下に説明するステップＳ３０６〜ステップＳ３０９は、図３のフローチャートにおけるステップＳ１０２〜ステップＳ１０５に対応している。
【００５３】
充電回路３Ａは、電源２の電源電力が供給電力よりも大きいか否かを判断する（ステップＳ３０１）。電源電力が供給電力よりも大きいと判断された場合（ステップＳ３０１：Ｙｅｓ）、充電回路３Ａは、放電回路５を介して負荷機器１００に供給電力を供給する（ステップＳ３０２）。次に、充電回路３Ａは、電源２の電源電力から供給電力を引いた残りの電力が充電電力よりも大きいか否かを判断する（ステップＳ３０３）。電源電力から供給電力を引いた残りの電力が充電電力よりも大きいと判断された場合（ステップＳ３０３：Ｙｅｓ）、充電回路３Ａは、蓄電池４を充電する（ステップＳ３０４）。次に、充電回路３Ａは、電源２の電源電力から供給電力及び充電電力の合計を引いた残りの電力が駆動電力よりも大きいか否かを判断する（ステップＳ３０５）。電源電力から供給電力及び充電電力の合計を引いた残りの電力が駆動電力よりも大きいと判断された場合（ステップＳ３０５）、制御部９は、温度測定部８によって測定された収納スペース７１０の空間温度が上限温度よりも高いか否かを判断する（ステップＳ３０６）。空間温度が上限温度よりも高いと判断された場合（ステップＳ３０６：Ｙｅｓ）、制御部９は、冷却装置６の動作を開始させる（ステップＳ３０７）。これにより冷却装置６は、電源２の余剰電力を利用して動作する。冷却装置６の動作の開始後、充電回路３Ａは、電源電力から供給電力及び充電電力の合計を引いた残りの電力が駆動電力よりも大きいか否かをさらに判断する（ステップＳ３０８）。電源電力から供給電力及び充電電力の合計を引いた残りの電力が駆動電力よりも大きいと判断されれば（ステップＳ３０８：Ｙｅｓ）、制御部９は、空間温度が下限温度よりも低いか否かを判断する（ステップＳ３０９）。空間温度が下限温度よりも低いと判断された場合（ステップＳ３０９：Ｙｅｓ）、制御部９は、冷却装置６の動作を終了する（ステップＳ３１０）。この後、蓄電池システム１は、処理をステップＳ３０１に移行する。
【００５４】
なお、制御部９が冷却装置６の動作を停止させている状態において、電源電力が供給電力以下であると判断された場合（ステップＳ３０１：Ｎｏ）、蓄電池システム１Ａは、処理をステップＳ３０１に移行する。同様に、制御部９が電源電力から供給電力を引いた残りの電力が充電電力以下であると判断された場合（ステップＳ３０３：Ｎｏ）、蓄電池システム１Ａは、処理をステップＳ３０１に移行する。また、電源電力から供給電力及び充電電力の合計を引いた残りの電力が駆動電力以下であると判断された場合（ステップＳ３０５：Ｎｏ）、蓄電池システム１Ａは、処理をステップＳ３０１に移行する。さらに、空間温度が上限温度以下と判断された場合（ステップＳ３０６：Ｎｏ）、蓄電池システム１Ａは、処理をステップＳ３０１に移行する。
【００５５】
制御部９が冷却装置６を動作させている状態において、電源電力から供給電力及び充電電力の合計を引いた残りの電力が駆動電力以下であると判断された場合（ステップＳ３０８：Ｎｏ）、制御部９は、冷却装置６の動作を終了する（ステップＳ３１０）。
【００５６】
また、制御部９が冷却装置６を動作させている状態において、空間温度が下限温度以上であると判断された場合（ステップＳ３０９：Ｎｏ）、蓄電池システム１Ａは、処理をステップＳ３０８に移行する。つまり、蓄電池システム１Ａは、冷却装置６の動作が一度開始されると、余剰電力がないと判断されるか空間温度が下限温度よりも低いと判断されるまで、冷却装置６で収納スペース７１０を冷却する。
【００５７】
このように、第２制御モードでは、第１制御モードと同様に、蓄電池４及び負荷機器１００に電源２から電力を供給している際に、電源２に余剰電力があれば、冷却装置６で収納スペース７１０を冷却する。この結果、蓄電池システム１Ａは、冷却装置６で蓄電池４を冷却することができる。
【００５８】
また、第２制御モードでは、蓄電池４よりも負荷機器１００に優先して電源２から電力を供給する。そのため、例えば電力系統からの給電が不安定な場合には、第１制御モードから第２制御モードに切り替えることで、負荷機器１００の安定した動作が期待できる。
【００５９】
２．３  まとめ
本実施形態の蓄電池システム１Ａは、蓄電池４及び負荷機器１００の両方に電力が供給されていても、余剰電力があれば、冷却装置６で収納スペース７１０を冷却する。収納スペース７１０が冷却されることで、蓄電池４の温度上昇は、抑制される。言い換えると、蓄電池４の温度上昇による劣化が抑制される。したがって、本実施形態の蓄電池システム１Ａは、蓄電池４の長寿命化を図ることができる。
【００６０】
さらに、制御部９は、蓄電池４の温度が上限温度より高い場合に、冷却装置６の動作を開始させる。また、制御部９は、蓄電池４の温度が下限温度よりも低い場合に、冷却装置６の動作を終了する。このように、制御部９は、蓄電池４及び負荷機器１００の両方に電力が供給されていても、必要に応じて冷却装置６を動作させるから、電力の無駄を軽減することができる。
【００６１】
３．変形例
以上説明した実施形態１，２は、本発明の様々な実施形態の一部に過ぎない。また、実施形態１，２は、本発明の目的を達成できれば、設計等に応じて種々の変更が可能である。以下に、実施形態１，２の変形例を列挙する。
【００６２】
電源２は、ディーゼル発電装置など、電力系統から独立した独立型電源装置であればよい。
【００６３】
変形例では、冷却装置６は、ヒートポンプ式、水冷式などの冷却装置であってもよい。また、冷却装置６は、１つ又は複数のペルチェ素子などであってもよい。複数のペルチェ素子は、蓄電池４の複数の蓄電池ユニット４１にそれぞれ直接取り付けられてもよい。また、例えば、ペルチェ素子は、収納庫７の内部の壁に取り付けられてもよい。この場合、ペルチェ素子によって収納スペース７１０が冷却されることで、蓄電池４が間接的に冷却される。要するに、冷却装置６は、直接的又は間接的に、蓄電池４を冷却することができればよい。
【００６４】
さらに、冷却装置６は、収納庫７の内部に配置されていてもよい。この場合、収納庫７には、吸気孔７１２及び排気孔７１３のいずれも形成されなくてもよい。このように冷却装置６が、収納庫７の内部に配置されることで、収納庫７の施工が容易になる。
【００６５】
変形例では、複数の蓄電池ユニット４１のそれぞれは、長手方向が水平方向となるように配置されてもよい。
【００６６】
また、蓄電池４は、４つの蓄電池ユニット４１で構成される必要はなく、１つ以上の蓄電池ユニット４１で構成されてもよい。
【００６７】
収納庫７の形状は、上述の実施形態で説明した形状に限定されない。変形例では、収納庫７は、例えば、上段と下段とに区切られた空間を有してもよい。また、収納庫７は、上下方向、左右方向、又は前後方向に区切られた複数の空間を有してもよい。蓄電池システム（１：１Ａ）は、空間のそれぞれを個別に冷却することができるので、使用する電力を軽減することができる。
【００６８】
変形例では、充電回路（３：３Ａ）は、電力網と接続されていてもよい。この場合、商用電源からの電源電力で、蓄電池４が充電されてもよい。
【００６９】
変形例では、蓄電池４が満充電の状態のとき、充電回路（３：３Ａ）は、トリクル充電をせず、蓄電池４のそれぞれの残容量が、例えば、予め決められていた残容量の下限値よりも下回ると、充電を始めるように構成されてもよい。
【００７０】
なお、冷却装置６に供給される電力は、余剰電力に限定されない。変形例では、冷却装置６は、例えば、乾電池または蓄電池システム（１：１Ａ）から独立した二次電池の電力を利用してもよい。
【００７１】
なお、実施形態２では、蓄電池４、冷却装置６、負荷機器１００の中で、冷却装置６の優先順位が一番低く設定されている。しかしながら、冷却装置６の優先順位が最も高く設定されてもよい。つまり、蓄電池４、冷却装置６、負荷機器１００の優先順位は適宜変更してもよい。
【００７２】
４．態様
上記実施形態から明らかなように、第１の態様の蓄電池システム（１：１Ａ）は、収納スペース（７１０）に収納された蓄電池（４）を電源から供給される電源電力で充電する充電回路（３：３Ａ）を備える。第１態様の蓄電池システム（１：１Ａ）は、蓄電池（４）を放電させる放電回路（５）と、蓄電池（４）を冷却する冷却装置とをさらに備える。第１の態様によれば、蓄電池（４）の長寿命化を図ることができる。
【００７３】
第２の態様の蓄電池システム（１：１Ａ）は、第１の態様との組み合わせにより実現され得る。第２の態様は、冷却装置（６）の動作を制御する制御部（９）をさらに備える。第２の態様によれば、制御部（９）により必要な時だけ冷却装置（６）を動作させることができる。
【００７４】
第３の態様の蓄電池システム（１：１Ａ）は、第２の態様との組み合わせにより実現され得る。第３の態様では、制御部（９）は、冷却装置（６）を電源電力を利用して動作させるように構成される。第３の態様によれば、冷却装置（６）を動作させるために電源（２）とは別の電源を用意する必要がない。
【００７５】
第４の態様の蓄電池システム（１：１Ａ）は、第３の態様との組み合わせにより実現され得る。第４の態様では、制御部（９）は、電源の電源電力が蓄電池（４）の充電に必要な充電電力よりも大きい場合、電源電力から充電電力を引いた余剰電力で冷却装置（６）を動作させるように構成される。第４の態様によれば、電源電力を効率よく利用して、蓄電池４を冷却することができる。
【００７６】
第５の態様の蓄電池システム（１：１Ａ）は、第２〜４の態様の何れか一つとの組み合わせにより実現され得る。第５の態様では、制御部（９）は、蓄電池（４）の温度が予め設定された上限温度よりも高い場合、冷却装置（６）の動作を開始させるように構成される。第５の態様によれば、電源電力をより効率よく利用して、蓄電池（４）を冷却することができる。
【００７７】
第６の態様の蓄電池システム（１：１Ａ）は、第５の態様との組み合わせにより実現され得る。第６の態様では、蓄電池（４）の温度を測定する温度測定部（８）をさらに備える。制御部（９）は、蓄電池（４）の温度が上限温度よりも高いか否かを判断する。制御部（９）は、蓄電池（４）の温度が上限温度よりも高い場合、冷却装置（６）の動作を開始させるように構成される。第６の態様によれば、電源電力をより効率よく利用して、蓄電池（４）を冷却することができる。
【００７８】
第７の態様の蓄電池システム（１：１Ａ）は、第５の態様との組み合わせにより実現され得る。第７の態様では、制御部（９）は、蓄電池（４）の温度が下限温度よりも低い場合、冷却装置（６）の動作を停止させるように構成される。第７の態様によれば、電源電力をより効率よく利用して、蓄電池（４）を冷却することができる。
【００７９】
第８の態様の蓄電池システム（１：１Ａ）は、第７の態様との組み合わせにより実現され得る。第８の態様は、蓄電池（４）の温度を測定する温度測定部（８）をさらに備える。制御部（９）は、蓄電池（４）の温度が下限温度よりも低いか否かを判断する。制御部（９）は、蓄電池（４）の温度が下限温度よりも低い場合、冷却装置（６）の動作を停止させるように構成される。第８の態様によれば、電源電力をより効率よく利用して、蓄電池（４）を冷却することができる。
【００８０】
第９の態様の蓄電池システム（１：１Ａ）は、第１〜８の態様の何れか一つとの組み合わせにより実現され得る。第９の態様は、電源（２）をさらに備える。電源（２）は、発電装置である。第９の態様によれば、商用の電力系統に影響されず、蓄電池（４）を充電することができる。
【００８１】
第１０の態様の蓄電池システム（１：１Ａ）は、第９の態様との組み合わせにより実現され得る。第１０の態様では、発電装置は、太陽光発電装置である。第１０の態様によれば、比較的多くの電力を発電することができ、さらに利用することができる。
【００８２】
第１１の態様の蓄電池システム（１：１Ａ）は、第１〜１０の態様の何れか一つとの組み合わせにより実現され得る。第１１の態様では、冷却装置（６）は、収納スペース（７１０）を冷却することで、蓄電池（４）を冷却するように構成される。第１１の態様によれば、蓄電池（４）を効率よく冷却することができる。
【００８３】
第１２の態様の蓄電池システム（１：１Ａ）は、第１１の態様との組み合わせにより実現され得る。第１２の態様は、収納スペース（７１０）を内部に有する収納庫（７）をさらに備える。収納庫（７）は、一面が上向きになるように配置される。冷却装置（６）は、収納スペース（７１０）よりも上に配置される。第１２の態様によれば、簡易な構造によって蓄電池（４）を冷却することができる。
【００８４】
第１３の態様の蓄電池システム（１：１Ａ）は、第１〜１２の態様の何れか一つとの組み合わせにより実現され得る。第１３の態様は、蓄電池（４）をさらに備える。第１３の態様によれば、蓄電池（４）の長寿命化を図ることができる。
【符号の説明】
【００８５】
１、１Ａ  蓄電池システム
２  電源
３、３Ａ  充電回路
４  蓄電池
５  放電回路
６  冷却装置
７  収納庫
７１０  収納スペース
８  温度測定部
９  制御部
【図１】
2018107043.tif 000003
【図２】
2018107043.tif 000004
【図３】
2018107043.tif 000005
【図４】
2018107043.tif 000006
【図５】
2018107043.tif 000007
【図６】
2018107043.tif 000008